(57)【特許請求の範囲】
【請求項１】
干し物を着脱自在に吊下げ支持する複数の吊下げ具が吊設された物干し枠体と、その物干し枠体を長尺体に吊下げるための少なくとも２個のフックとを備え、その２個のフックを長尺体に係合することにより、前記物干し枠体が長尺体に沿って吊下げ保持されるように構成されている物干し器であって、
前記２個のフックのうちの少なくとも一方が、前記長尺体に係合する第１係合姿勢と、被装着面の被係合部に係合する第２係合姿勢とに姿勢変更自在に構成され、その姿勢変更自在な可動フックが前記被係合部に係合する第２係合姿勢にある状態で、その可動フックの前記物干し枠体に対する姿勢を維持する姿勢維持機構が設けられるとともに、前記被装着面に当接して前記物干し枠体を使用姿勢に保持する当接部が設けられ、
前記姿勢維持機構が、前記物干し枠体と可動フックのうち、一方に設けられた長尺状の係止部材と、他方に設けられた前記係止部材に係合する被係止部により構成され、
前記係止部材が、その遊端部に係止部位を有し、その基端部が前記物干し枠体に回動自在に連結された棒状体により構成され、前記被係止部が、前記係止部位と係合すべく前記可動フックに形成された被係止溝により構成され、さらに、
前記被係止溝が、前記可動フックにおいて、その彎曲係合部位の基端側に連設の傾斜直線部位に形成されている物干し器。
【請求項２】
前記被係止溝が、前記可動フックの傾斜直線部位に沿って複数設けられ、それら複数の被係止溝に対して前記係止部位を択一的に係合することにより、前記物干し枠体の可動フックに対する姿勢維持角度を変更するように構成されている請求項１に記載の物干し器。
【請求項３】
前記物干し枠体が、平面視においてほぼ長方形に形成され、その長方形の物干し枠体の長辺側の両端部に前記フックがそれぞれ連設されて、それらフックの一方が前記可動フックに構成されるとともに、前記当接部が、前記物干し枠体における可動フックが位置する長辺側の端部に回動自在に連設の当接部材に設けられている請求項１または２に記載の物干し器。
【請求項４】
前記当接部材が、弾性変形可能な可撓性の当接部材により構成され、その可撓性の当接部材の遊端部に前記当接部が設けられている請求項３に記載の物干し器。
【発明の詳細な説明】
【技術分野】
【０００１】
本発明は、干し物を着脱自在に吊下げ支持する複数の吊下げ具が吊設された物干し枠体と、その物干し枠体を長尺体に吊下げるための少なくとも２個のフックとを備え、その２個のフックを長尺体に係合することにより、前記物干し枠体が長尺体に沿って吊下げ保持されるように構成されている物干し器に関する。
【背景技術】
【０００２】
このような物干し器としては、従来、複数の吊下げ具（洗濯はさみ）が吊設された物干し枠体に対して２個のフックが設けられ、それら２個のフックが、同じ方向を向いて物干し枠体に固定されていて、物干し竿のような長尺体に係合することにより、物干し枠体が長尺体に沿って吊下げ保持されるように構成したものが知られている（例えば、特許文献１参照）。
【先行技術文献】
【特許文献】
【０００３】
【特許文献１】特開平１０−２３５０８５号公報
【発明の概要】
【発明が解決しようとする課題】
【０００４】
しかし、上記公報に記載の物干し器では、２個のフックが物干し枠体に対して固定されているので、物干し竿のような長尺体に係合して吊下げ保持させることは可能であるが、例えば、室内において、開いたドアの上縁や把手などに係合したり、浴室の壁面に設けられたタオル掛などに係合して、物干し枠体を使用姿勢に保持して吊下げることができず、この点に改良の余地があった。
【０００５】
本発明は、このような従来の問題点に着目したもので、その目的は、ひとつの物干し器でありながら、物干し竿のような長尺体に吊下げ保持させることは勿論のこと、開いたドアの上縁や浴室壁面のタオル掛などにも簡単に吊下げ保持させて使用することができる便利な物干し器を提供することにある。
【課題を解決するための手段】
【０００６】
本発明の第１の特徴構成は、干し物を着脱自在に吊下げ支持する複数の吊下げ具が吊設された物干し枠体と、その物干し枠体を長尺体に吊下げるための少なくとも２個のフックとを備え、その２個のフックを長尺体に係合することにより、前記物干し枠体が長尺体に沿って吊下げ保持されるように構成されている物干し器であって、前記２個のフックのうちの少なくとも一方が、前記長尺体に係合する第１係合姿勢と、被装着面の被係合部に係合する第２係合姿勢とに姿勢変更自在に構成され、その姿勢変更自在な可動フックが前記被係合部に係合する第２係合姿勢にある状態で、その可動フックの前記物干し枠体に対する姿勢を維持する姿勢維持機構が設けられるとともに、前記被装着面に当接して前記物干し枠体を使用姿勢に保持する当接部が設けられ、前記姿勢維持機構が、前記物干し枠体と可動フックのうち、一方に設けられた長尺状の係止部材と、他方に設けられた前記係止部材に係合する被係止部により構成され、前記係止部材が、その遊端部に係止部位を有し、その基端部が前記物干し枠体に回動自在に連結された棒状体により構成され、前記被係止部が、前記係止部位と係合すべく前記可動フックに形成された被係止溝により構成され、さらに、前記被係止溝が、前記可動フックにおいて、その彎曲係合部位の基端側に連設の傾斜直線部位に形成されているところにある。
【０００７】
上記構成によれば、物干し枠体を長尺体に吊下げるための少なくとも２個のフックを備えているので、上記公報に記載の物干し器と同様に、複数の吊下げ具に洗濯物などの干し物を吊下して、物干し竿のような長尺体に吊下げ保持させることができる。
そして、少なくとも一方が可動フックに構成されているので、その可動フックを被装着面の被係合部に係合する第２係合姿勢に姿勢変更し、姿勢維持機構により物干し枠体に対する姿勢を維持させて、例えば、開いたドアの上縁や浴室壁面のタオル掛などに係合させることにより、被装着面としてのドア表面や浴室壁面に当接部が当接することになり、物干し枠体を使用姿勢に保持して吊下げることができる。
したがって、例えば、洗濯物などの干し物を室外の物干し竿に吊下げていて急に雨が降り出したような場合、そのまま室内に持ち込んで、物干し器を簡単にドア上縁や浴室のタオル掛などに使用姿勢で吊下げることができ、実際の使用に際して非常に便利に使用することができる。
【０００８】
前記姿勢維持機構は、前記物干し枠体と可動フックのうち、一方に設けられた長尺状の係止部材と、他方に設けられた前記係止部材に係合する被係止部により構成されている。
【０００９】
上記構成によれば、長尺状の係止部材を被係止部に係合させるだけで、物干し枠体に対する可動フックの姿勢を維持することができるので、例えば、ボルトやナットにより姿勢維持機構を構成する場合などに比べて、可動フックの姿勢維持操作を簡単かつ迅速に行うことができる。
【００１０】
前記係止部材は、その遊端部に係止部位を有し、その基端部が前記物干し枠体に回動自在に連結された棒状体により構成され、前記被係止部が、前記係止部位と係合すべく前記可動フックに形成された被係止溝により構成されている。
【００１１】
上記構成によれば、係止部材としての棒状体を物干し枠体に対して回動させて、その遊端部の係止部位を被係止部としての被係止溝に係合させるだけで、物干し枠体に対する可動フックの姿勢を維持することができので、可動フックの姿勢維持操作をより簡単かつ迅速に行うことができる。
【００１２】
前記被係止溝は、前記可動フックにおいて、その彎曲係合部位の基端側に連設の傾斜直線部位に形成されている。
【００１３】
上記構成によれば、上述した棒状体の遊端部に設けられた係止部位を可動フックの傾斜直線部位に形成された被係止溝に係合させて可動フックの姿勢を維持することになるので、物干し枠体に対する可動フックの姿勢維持がより一層確実となり、物干し枠体を所望の使用姿勢に確実に保持することができる。
【００１４】
本発明の第２の特徴構成は、前記被係止溝が、前記可動フックの傾斜直線部位に沿って複数設けられ、それら複数の被係止溝に対して前記係止部位を択一的に係合することにより、前記物干し枠体の可動フックに対する姿勢維持角度を変更するように構成されているところにある。
【００１５】
上記構成によれば、複数の被係止溝に対して棒状体遊端部の係止部位を択一的に係合して、物干し枠体の可動フックに対する姿勢維持角度を変更することができ、したがって、例えば、室内のドア上縁や浴室のタオル掛などに吊下げる場合、ドア表面や浴室壁面との関連を考慮して姿勢維持角度を変更することにより、例えば、物干し枠体を最適な水平姿勢に保持するが可能となり、また、たとえ狭い空間内であっても、物干し枠体を斜め傾斜姿勢にして吊下げることができる。
【００１６】
本発明の第３の特徴構成は、前記物干し枠体が、平面視においてほぼ長方形に形成され、その長方形の物干し枠体の長辺側の両端部に前記フックがそれぞれ連設されて、それらフックの一方が前記可動フックに構成されるとともに、前記当接部が、前記物干し枠体における可動フックが位置する長辺側の端部に回動自在に連設の当接部材に設けられているところにある。
【００１７】
上記構成によれば、ほぼ長方形の物干し枠体の長辺側の両端にそれぞれフックが連設されているので、物干し竿のような長尺体に吊下げる場合、ほぼ長方形の物干し枠体を安定よく吊下げることができる。
そして、その一方が可動フックに構成されているので、ドア上縁やタオル掛などに吊下げる場合、ほぼ長方形の物干し枠体は、その長辺側をドア表面や壁面から突出させた状態で、長辺側の端部に連設の当接部材に設けられた当接部がドア表面や壁面に当接することになり、洗濯物などの干し物は、ドア表面や壁面から離れた風通しのよい状態で吊下されるとともに、当接部を有する当接部材が回動自在に構成されているので、物干し枠体の姿勢の如何にかかわらず、当接部がドア表面や壁面に対して所望どおりに当接して、物干し枠体を使用姿勢に保持することになる。
【００１８】
本発明の第４の特徴構成は、前記当接部材が、弾性変形可能な可撓性の当接部材により構成され、その可撓性の当接部材の遊端部に前記当接部が設けられているところにある。
【００１９】
上記構成によれば、ドア表面や壁面などに当接する当接部が、弾性変形可能な可撓性の当接部材の遊端部に設けられているので、当接部からドア表面や壁面などに作用する荷重が緩和され、ドア表面や壁面の損傷を防止することができる。
【図面の簡単な説明】
【００２０】
【図１】物干し器の斜視図
【図２】物干し器の側面図
【図３】物干し器の正面図
【図４】物干し器の要部を示す一部切欠き斜視図
【図５】可動フックの側面図
【図６】ハンガーを収納姿勢にした状態を示す物干し器の正面図
【図７】物干し器の使用状態を示す側面図
【図８】物干し器の使用状態を示す側面図
【発明を実施するための形態】
【００２１】
本発明による物干し器の実施形態を図面に基づいて説明する。
本発明の物干し器は、図１〜図３に示すように、洗濯物などの干し物を吊下げ支持する複数（この実施形態では６個）の吊下げ具としてのハンガー１が吊設された物干し枠体Ａと、その物干し枠体Ａを吊下げるための２個のフック２を備え、例えば、図８に示すように、その２個のフック２を長尺体としての物干し竿Ｓに係合することにより、物干し枠体Ａが物干し竿Ｓに沿って吊下げ保持されるように構成されている。
そして、２個のフック２のうちの一方が、図８に示すように、物干し竿Ｓに係合する第１係合姿勢と、図７に示すように、被装着面Ｍに設けられた被係合部Ｋ、具体的には、開いたドアの上縁、浴室の壁面に設けられたタオル掛、家具の把手などに係合する第２係合姿勢とに姿勢変更自在な可動フックＢに構成されている。
【００２２】
物干し枠体Ａは、左右一対の本体枠３、両本体枠３の端部に設けられたフック取付枠４、および、左右一対の本体枠３を連結する複数の連結枠５などを備え、それらの枠３、４、５が合成樹脂により一体形成されて構成され、平面視において、比較的細長いほぼ長方形に形成されるとともに、各ハンガー１が、左右一対の本体枠３間にわたって、その本体枠３にほぼ直交する横軸心Ｌ１（図２参照）周りに回動自在に取付られている。
その左右一対の本体枠３において、互いに対面するフック取付枠４間にわたって、フック支持枠６が、図２および図３に示すように、本体枠３にほぼ直交する横軸心Ｌ２周りに回動自在に取付けられ、さらに、そのフック支持枠６に対して、各フック２が、横軸心Ｌ２に直交する縦軸心Ｌ３周りに回動自在に取付けられている。
【００２３】
すなわち、２個のフック２は、ほぼ長方形に形成された物干し枠体Ａの長辺側の両端部に連設され、横軸心Ｌ２周りに回動することにより、例えば、本体枠３に直交する起立姿勢と本体枠３の上面に沿う折り畳み姿勢とにわたって姿勢変更自在に構成され、かつ、縦軸心Ｌ３周りに回動することにより、本体枠３に直交する方向を向く姿勢と、本体枠３に沿う方向を向く姿勢とに姿勢変更自在に構成されている。
そして、２個のフック２のうち、可動フックＢに関しては、第２係合姿勢において、可動フックＢの物干し枠体Ａに対する姿勢を維持する姿勢維持機構Ｃが設けられ、その姿勢維持機構Ｃは、物干し枠体Ａ側に設けられた長尺状の係止部材７と、可動フックＢ側に設けられた被係止部９により構成されている。
【００２４】
物干し枠体Ａ側の係止部材７は、図４にも示すように、具体的には、ループ状に折曲された金属製の棒状体８により構成され、その基端部が、物干し枠体Ａに対して横軸心Ｌ１、Ｌ２と平行な横軸心Ｌ４（図２参照）周りに回動自在に連結され、その遊端部は、可動フックＢ側の被係止部９に係合する係止部位８ａに形成されている。
それに対し、被係止部９は、可動フックＢの基端側に形成された複数の被係止溝１０により構成されている。つまり、可動フックＢは、図５に示すように、遊端側に位置する彎曲係合部位２ａと、その彎曲係合部位２ａの基端側に連設の傾斜直線部位２ｂなどを備え、その傾斜直線部位２ｂに沿って複数の被係止溝１０が形成され、各被係止溝１０は、係止した係止部位８ａの抜け出しを抑制するため、その入口開口部が係止部位８ａの太さよりも若干小さくなるように構成されている。
そして、係止部材７の係止部位８ａを複数の被係止溝１０に対して択一的に係合することにより、可動フックＢに対する物干し枠体Ａの姿勢維持角度α（図２および図７参照）を変更できるように構成されている。
【００２５】
その物干し枠体Ａにおいて、可動フックＢが位置する側の端部には、弾性変形可能な合成樹脂製の当接部材１１が、横方向に延出して、横軸心Ｌ１、Ｌ２、Ｌ４と平行な横軸心Ｌ７（図２参照）周りにおいて上下方向に所定の範囲内で回動自在に連設され、その当接部材１１の両端部には、比較的柔らかい材料からなる当接部１２が取付けられている。
この当接部１２は、図７に示すように、可動フックＢが第２係合姿勢において被装着面Ｍの被係合部Ｋに係合した際、被装着面Ｍに当接して物干し枠体Ａを所望の使用姿勢に保持するように機能するもので、その使用姿勢において、被装着面Ｍに作用する荷重を緩和するため、弾性変形可能な当接部材１１の端部に設けられ、さらに、その当接部材１１自体も、荷重を緩和し易いように、若干外側へ彎曲した形状に形成されている。
そして、その当接部１２を有する当接部材１１が、横軸心Ｌ７周りに回動自在に連設されているので、上述した姿勢維持角度αの変更などに対応して、当接部１２は、被装着面Ｍに対して常に所望どおりの姿勢で当接することになる。
【００２６】
ハンガー１は、全体が合成樹脂製で、図３および図６に示すように、物干し枠体Ａに対して横軸心Ｌ１（図２参照）周りに回動自在に連結される左右一対の基端部材１３と両基端部材１３を連結する連結部材１４を備え、左右一対の基端部材１３の端部には、衣服などを引掛ける肩部材１５ａとズボンなどを引掛ける棒状部材１５ｂを一体的に備えた引掛け部材１５が、それぞれ本体枠３と平行な横軸心Ｌ５周りに回動自在に連結され、かつ、それら両引掛け部材１５の遊端部どうしも横軸心Ｌ５と平行な横軸心Ｌ６周りに回動自在に連結されている。
各引掛け部材１５の肩部材１５ａと棒状部材１５ｂには、挟み部材１６が、それぞれ一体的に形成され、各肩部材１５ａには、別体に構成されたカバー部材１７が、図３に示すように、肩部材１５ａに沿って移動および固定自在に外嵌されている。
【００２７】
したがって、各カバー部材１７は、図３中に実線で示すように、基端部材１３側に移動させた収納姿勢と、図３中に点線で示すように、外側に引き出した使用姿勢とに変更自在に構成されている。
さらに、ハンガー１の連結部材１４は、その中央部分が凹入した凹入部１４ａを有するため、図６に示すように、各カバー部材１７を収納姿勢にした状態で、左右に位置する引掛け部材１５の棒状部材１５ｂを上方へ押し上げることにより、両棒状部材１５ｂの遊端部（横軸心Ｌ６側）が凹入部１４ａ内に位置する状態で上方に持ち上げられて、両肩部材１５ａとカバー部材１７が内側へ折り畳まれる収納姿勢になるように構成されている。
【００２８】
そして、各ハンガー１を使用姿勢にし、２個のフック２を物干し枠体Ａの本体枠３に直交する方向を向く姿勢にすることにより、図８に示すように、物干し竿Ｓなどの長尺体に吊下げ保持させることができる。
また、可動フックＢを本体枠３に沿う方向を向く姿勢にして、姿勢維持機構Ｃにより物干し枠体Ａに対する可動フックＢの姿勢を維持させることで、図７に示すように、被装着面Ｍの被係合部Ｋに可動フックＢを係合して、物干し枠体Ａを使用姿勢に保持することができ、その場合、被係合部Ｋと被装着面Ｍとの位置関係を考慮し、姿勢維持角度αを適切に設定することにより、物干し枠体Ａを最適な使用姿勢である水平に保持して吊下げることができる。
【００２９】
〔別実施形態〕
（１）上記実施形態では、遊端部に係止部位８ａを有するループ状の金属製棒状体８により係止部材７を構成した例を示したが、例えば、ループ状の棒状体８に代えて、遊端部に鉤型のフックを有する１本の棒状体または可撓性を有する紐状体により係止部材７を構成することもでき、また、その係止部材７と被係止部９に関しては、上記実施形態とは逆に、物干し枠体Ａ側に被係止部９を設け、可動フックＢ側に係止部材７を設けて姿勢維持機構Ｃを構成することもできる。
さらに、ボルトやナットなどを使用する締め付け解除機構を設け、それを姿勢維持機構Ｃとすることもできる。
【００３０】
（２）上記実施形態では、物干し枠体Ａに対して２個のフック２を設け、そのうちの一方を可動フックＢに構成した例を示したが、２個のフック全てを可動フックＢに構成することもでき、また、物干し枠体Ａに対して３個以上のフック２を設け、そのうちの少なくとも１個を可動フックＢとすることもできる。
また、物干し枠体Ａに対して、当接部１２を有する当接部材１１を横軸心Ｌ７周りで上下方向に回動自在に連設した例を示したが、当接部材１１と当接部１２の構成や形状によっては、例えば、上下方向に加えて左右横方向へも回動自在に構成するのが好ましい。
そして、物干し枠体Ａに吊設する吊下げ具の一例としてハンガー１を示したが、ハンガー１に代えて、ピンチ（洗濯はさみ）を吊設することも、ハンガー１とピンチを混在させて吊設することもできる。
【符号の説明】
【００３１】
１        吊下げ具
２        フック
２ａ      彎曲係合部位
２ｂ      傾斜直線部位
７        係止部材
８        棒状体
８ａ      係止部位
９        被係止部
１０      被係止溝
１１      当接部材
１２      当接部
Ａ        物干し枠体
Ｂ        可動フック
Ｃ        姿勢維持機構
Ｍ        被装着面
Ｋ        被係合部
Ｓ        長尺体
α        姿勢維持角度
【図１】
0005783350.tif 000002
【図２】
0005783350.tif 000003
【図３】
0005783350.tif 000004
【図４】
0005783350.tif 000005
【図５】
0005783350.tif 000006
【図６】
0005783350.tif 000007
【図７】
0005783350.tif 000008
【図８】
0005783350.tif 000009